(57)【要約】【課題】緊急時に、如何なる種類の言語を使っている人に対しても、有用な地図を提供できるようにする。【解決手段】本発明の画像形成装置１０において、制御部３１は、ネットワーク通信部２４により緊急情報が受信されたときに又は予め設定されたスケジュールに従って、画像形成装置１０の設置位置周辺の地図を、ネットワーク通信部２４を通じて取得し、当該地図に記載されている文字列又は記号を認識して、当該認識した文字列又は記号に対応付けられたピクトグラムを記憶部２８から読み出し、当該地図におけるその認識した文字列又は記号の記載位置にその読み出したピクトグラムを配置し、更に緊急情報が受信されたときに、そのピクトグラムを配置した地図を画像形成部１２により記録紙に形成させる。【選択図】図２
2020108128.tif 000002
【特許請求の範囲】
【請求項１】
データ通信を行う通信部と、
複数の文字列又は記号と、当該各文字列又は記号に対応付けられたそれぞれのピクトグラムを記憶した記憶部と、
画像を記録紙に形成する画像形成部と、
前記通信部により緊急情報が受信されたときに又は予め設定されたスケジュールに従って、本画像形成装置の設置位置周辺の地図を、前記通信部を通じて取得し、前記地図に記載されている文字列又は記号を認識して、当該認識した文字列又は記号に対応付けられたピクトグラムを前記記憶部から読み出し、前記地図における前記認識した文字列又は記号の記載位置に前記読み出したピクトグラムを配置した画像を生成する制御部と、を備え、
前記制御部は、前記通信部により前記緊急情報が受信されたときに、前記読み出したピクトグラムを配置した画像を前記画像形成部により記録紙に形成させる画像形成装置。
【請求項２】
前記文字列又は記号に対応付けられたピクトグラムは、当該文字列又は記号によって表される対象の利用目的に応じて予め設定された図形である請求項１に記載の画像形成装置。
【請求項３】
前記地図に印されたピクトグラムの無効を指示するためにユーザーにより操作される操作部を備え、
前記制御部は、前記操作部の操作により無効を指示されたピクトグラム及び前記地図における当該ピクトグラムの配置位置を記憶部に記憶させ、前記記憶部に記憶されている前記ピクトグラム及び前記地図における当該ピクトグラムの配置位置に基づき、次回に作成する地図には当該ピクトグラムを配置しない請求項１又は請求項２に記載の画像形成装置。
【請求項４】
前記制御部は、前記画像形成装置の設置位置周辺の地図を、前記通信部を通じてインターネット上のサーバーから取得する請求項１又は請求項２に記載の画像形成装置。
【発明の詳細な説明】
【技術分野】
【０００１】
本発明は、画像を記録紙に形成する画像形成装置に関し、特に緊急時に有用な地図を記録紙に形成して提供するための技術に関する。
【背景技術】
【０００２】
画像形成装置では、画像読取部により原稿の画像を読取ったり、外部から画像を受信したりすると、画像形成部により当該画像を記録紙に形成して、記録紙をトレイに排出する。
【０００３】
また、特許文献１に記載の画像形成装置では、言語設定履歴を記憶部に記憶すると共に、複数の言語別に、災害時の避難誘導情報（避難誘導文字情報、避難場所地図データ、及び避難経路地図）を記憶部に記憶させている。災害誘導情報処理部は、災害の発生時に災害情報を取得すると、記憶部に記憶されている言語設定履歴に基づき言語を選択する。画像形成部は、その選択された言語の非難誘導情報を記憶部から読み出して記録紙に形成し、この記録紙を排出する。
【先行技術文献】
【特許文献】
【０００４】
【特許文献１】特開２０１４−１９７７５３号公報
【発明の概要】
【発明が解決しようとする課題】
【０００５】
ここで、上記特許文献１では、災害の発生時に言語を適宜選択して、この言語の非難誘導情報を記録紙に形成している。しかしながら、オフィス、店舗、公共施設などでは、様々な言語を使う多様な人々が混在することが多く、その選択した言語を理解できない人がいることも想定され、その非難誘導情報が必ずしも役に立つとは言えない。
【０００６】
そこで、本発明は、上記の事情に鑑みなされたものであり、緊急時に、如何なる種類の言語を使っている人に対しても、有用な地図を提供できるようにすることを目的とする。
【課題を解決するための手段】
【０００７】
本発明の一局面にかかる画像形成装置は、データ通信を行う通信部と、複数の文字列又は記号と、当該各文字列又は記号に対応付けられたそれぞれのピクトグラムを記憶した記憶部と、画像を記録紙に形成する画像形成部と、前記通信部により緊急情報が受信されたときに又は予め設定されたスケジュールに従って、当該画像形成装置の設置位置周辺の地図を、前記通信部を通じて取得し、前記地図に記載されている文字列又は記号を認識して、当該認識した文字列又は記号に対応付けられたピクトグラムを前記記憶部から読み出し、前記地図における前記認識した文字列又は記号の記載位置に前記読み出したピクトグラムを配置した画像を生成する制御部と、を備え、前記制御部は、前記通信部により前記緊急情報が受信されたときに、前記読み出したピクトグラムを配置した画像を前記画像形成部により記録紙に形成させるものである。
【発明の効果】
【０００８】
本発明によれば、緊急時に、如何なる種類の言語を使っている人に対しても、有用な地図を提供できる。
【図面の簡単な説明】
【０００９】
【図１】本発明の一実施形態にかかる画像形成装置を示す断面図である。
【図２】本実施形態の画像形成装置の主要内部構成を示すブロック図である。
【図３】（Ａ）は外部のサーバーから取得した地図を例示する図であり、（Ｂ）は当該取得した地図における文字列又は記号の記載位置にピクトグラムを記入してなる地図を例示する図である。
【図４】画像形成装置の記憶部に予め記憶されているピクトグラムデータを概念的に示す図である。
【図５】緊急時に地図を取得して、ピクトグラムを記入した地図を作成して記録紙に形成させるための処理手順を示すフローチャートである。
【発明を実施するための形態】
【００１０】
以下、本発明の一実施形態について図面を参照して詳細に説明する。
【００１１】
図１は、本発明の一実施形態にかかる画像形成装置を示す断面図である。この図１に示す画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１２】
画像読取部１１は、原稿の画像を光学的に読み取る撮像素子を有しており、この撮像素子のアナログ出力がデジタル信号に変換されて、原稿の画像を示す画像データが生成される。
【００１３】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１４】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１５】
次に、画像形成装置１０の制御に係る構成について説明する。図２は、画像形成装置１０の主要内部構成を示す機能ブロック図である。この図２に示すように画像形成装置１０は、画像読取部１１と、画像形成部１２と、表示部２１と、操作部２２と、タッチパネル２３と、ネットワーク通信部２４と、画像メモリー２６と、記憶部２８と、制御ユニット２９とを備えている。これらの構成要素は、互いにバスを通じてデータ又は信号の送受信が可能とされている。
【００１６】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどのハードキーを備えている。
【００１７】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１などに出力する。
【００１８】
ネットワーク通信部（図２ではＮＷ通信部）２４は、ネットワークＮを通じて、パーソナルコンピューター（ＰＣ）やサーバーなどに接続され、ＰＣやサーバーなどとの間でデータ通信を行う。
【００１９】
画像メモリー２６は、画像データなどを一時的に記憶する。
【００２０】
記憶部２８は、ＳＳＤ（Solid State Drive）、ＨＤＤ（Hard Disk Drive）などの大容量の記憶装置であって、各種のアプリケーションプログラムや種々のデータを記憶している。
【００２１】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２２】
制御部３１は、画像形成装置１０を統括的に制御する。制御ユニット２９は、表示部２１、操作部２２、タッチパネル２３、ネットワーク通信部２４、画像メモリー２６、記憶部２８、画像読取部１１、及び画像形成部１２などと接続されている。制御部３１は、これらの構成要素の動作制御や、当該各構成要素との間での信号またはデータの送受信を行う。
【００２３】
制御部３１は、画像形成装置１０による画像形成に必要な各種の処理などを実行する処理部としての役割を果たす。また、制御部３１は、表示部２１の表示動作を制御する機能を有する。更に、制御部３１は、ネットワーク通信部２４の通信動作を制御する機能を有する。
【００２４】
尚、ネットワーク通信部２４は、特許請求の範囲における「通信部」の一例であり、操作部２２及びタッチパネル２３は、特許請求の範囲における「操作部」の一例である。
【００２５】
このような構成の画像形成装置１０において、制御部３１は、画像読取部１１により原稿の画像が読取られると、この原稿の画像を示す画像データを画像メモリー２６に一旦記憶させて、画像データによって示される画像を画像形成部１２で記録紙に記録させる。また、制御部３１は、外部端末から送信されて来た画像データがネットワーク通信部２４で受信されると、画像データを画像メモリー２６に一旦記憶させて、画像データによって示される画像を画像形成部１２で記録紙に記録させる。
【００２６】
一方、制御部３１は、外部端末から送信されて来た緊急情報のメッセージがネットワーク通信部２４で受信されると、この緊急情報のメッセージに応答してアラーム３０（図２）を起動させて、このアラーム３０によりアラーム音を発音させる。また、制御部３１は、緊急情報のメッセージを表示部２１の画面に表示させる。
【００２７】
更に、制御部３１は、緊急情報のメッセージに応答して、画像形成装置１０の周辺の地図を示す画像データを、外部のサーバーからネットワーク通信部２４を通じて取得する。そして、制御部３１は、地図に記載されている文字列又は記号を認識して、当該認識した文字列又は記号に対応付けられているピクトグラムを記憶部２８から読み出し、地図におけるその認識した文字列又は記号の記載位置にその読み出したピクトグラムを配置した画像を生成し、この生成した画像を画像形成部１２により記録紙に形成させる。
【００２８】
例えば、図３（Ａ）に示すような地図Ｍ１を外部のサーバーから取得する。この地図Ｍ１には、文字列Ｔ１（公園）、文字列Ｔ２（駅）、文字列Ｔ３（銀行）、文字列Ｔ４（病院）、及び学校を示す記号Ｓ１（文）が記載されているものとする。
【００２９】
また、図４に示すようなピクトグラムデータＤが、記憶部２８に予め記憶されている。このピクトグラムデータＤには、複数の文字列Ｔ１、Ｔ２、……と、当該各文字列に対応付けられたそれぞれのピクトグラムＰＴ１、ＰＴ２、……と、複数の記号Ｓ１、Ｓ２、……と、当該各文字列又は記号に対応付けられたそれぞれのピクトグラムＰＳ１、ＰＳ２……とが記憶されている。
【００３０】
制御部３１は、地図Ｍ１における文字列Ｔ１（公園）、文字列Ｔ２（駅）、文字列Ｔ３（銀行）、文字列Ｔ４（病院）、及び記号Ｓ１（文）を認識し、各文字列Ｔ１、Ｔ２、Ｔ３、Ｔ４に対応付けられているそれぞれのピクトグラムＰＴ１、ＰＴ２、ＰＴ３、ＰＴ４、及び記号Ｓ１に対応付けられているピクトグラムＰＳ１をピクトグラムデータＤから読み出し、地図Ｍ１における文字列Ｔ１の記載位置にピクトグラムＰＴ１を配置し、地図Ｍ１における文字列Ｔ２の記載位置にピクトグラムＰＴ２を配置し、地図Ｍ１における文字列Ｔ３の記載位置にピクトグラムＰＴ３を配置し、地図Ｍ１における文字列Ｔ４の記載位置にピクトグラムＰＴ４を配置し、地図Ｍ１における記号Ｓ１の記載位置にピクトグラムＰＳ１を配置して、図３（Ｂ）に示すような地図Ｍ２を示す画像（以下、単に「地図Ｍ２」という）を作成する。そして、制御部３１は、地図Ｍ２を画像形成部１２により記録紙に形成させる。
【００３１】
ここで、周知のようにピクトグラムは、主に駅や空港などの公共施設で使用されるものであって、対象を文字列や記号などにより表現する代わりに視覚的な図形で表現することで、言語などに制約されずに、その対象の利用目的を直感的に伝達するものである。図４に示すピクトグラムデータＤを参照すると、文字列Ｔ１（公園）には水道を表すピクトグラムＰＴ１が対応付けられている。また、文字列Ｔ２（駅）には電車を表すピクトグラムＰＴ２が対応付けられ、文字列Ｔ３（銀行）には円を表すピクトグラムＰＴ３が対応付けられ、文字列Ｔ４（病院）には病院を表すピクトグラムＰＴ４が対応付けられている。また、学校を示す記号Ｓ１（文）には避難所を表すピクトグラムＰＳ１が対応付けられている。
【００３２】
このような水道を表すピクトグラムＰＴ１、電車を表すピクトグラムＰＴ２、銀行を表すピクトグラムＰＴ３、病院を表すピクトグラムＰＴ４、及び避難所を表すピクトグラムＰＳ１は、緊急時に必要な対象の利用目的を視覚的に表すものである。従って、これらのピクトグラムが配置されてなる地図Ｍ２は、如何なる種類の言語を使っている人に対しても、緊急時に必要な対象の位置を知らせることができる。
【００３３】
次に、上記のように緊急時に地図を取得して、ピクトグラムを記入した地図を作成して記録紙に形成させるための処理手順を、図５に示すフローチャートを参照しつつ説明する。
【００３４】
まず、制御部３１は、外部端末から送信されて来た緊急情報のメッセージがネットワーク通信部２４で受信されるのを待機している（Ｓ１０１「Ｎｏ」）。例えば、緊急情報のメッセージは、公共施設のサーバーからインターネットを通じて一斉に送信される。この緊急情報のメッセージがネットワーク通信部２４で受信されると、この緊急情報のメッセージが制御部３１に入力される（Ｓ１０１「Ｙｅｓ」）。
【００３５】
制御部３１は、緊急情報のメッセージを入力すると、緊急モードを設定し（Ｓ１０２）、アラーム３０（図示せず）を起動させて、アラーム音を発音させる。また、制御部３１は、緊急情報のメッセージを表示部２１の画面に表示させる。
【００３６】
制御部３１は、緊急モードを設定すると、画像形成装置１０の位置及び当該画像形成装置１０の周辺の地図の要求をネットワーク通信部２４から、予め定められたサーバーに送信させる（Ｓ１０３）。画像形成装置１０の位置は、(i)操作部２２又はタッチパネルの操作により予め設定されて記憶部２８に記憶されている、あるいは、(ii)制御ユニット２９が内蔵するＧＰＵ機能により検出される。
【００３７】
予め定められたサーバーは、広範囲の地図を示す画像データを格納しており、当該地図は、定期的に最新の情報を示す内容に更新されている。サーバーは、画像形成装置１０の位置及び当該画像形成装置１０の周辺の地図の要求を画像形成装置１０から受信すると、当該画像形成装置１０の位置を中心とする規定範囲（例えば、当該画像形成装置１０の位置から半径２ｋｍ）の地図（画像形成装置１０の周辺の地図）を示す画像データを生成して、この画像データを画像形成装置１０に送信する。
【００３８】
制御部３１は、画像形成装置１０の周辺の地図を示す画像データがネットワーク通信部２４で受信されると（Ｓ１０４）、この画像データを画像メモリー２６に一旦記憶させる。例えば、図３（Ａ）に示すような地図Ｍ１を示す画像データが画像メモリー２６に記憶される。
【００３９】
そして、制御部３１は、画像メモリー２６に記憶されている当該画像データを解析して、地図に記載されている文字列及び記号を認識する（Ｓ１０５）。詳しくは、記憶部２８には、画像メモリー２６内の画像データによって示される画像を解析して、この画像に含まれる文字及び記号を認識するための周知のＯＣＲ機能を実行するアプリケーションプログラムが記憶されている。このアプリケーションプログラムは、地図に記載されている文字列及び記号とパターンマッチング処理を行うことでＯＣＲにより文字を判別するために用いるパターンデータを有している。制御部３１は、そのアプリケーションプログラムを実行し、上記パターンデータとのパターンマッチングにより、画像メモリー２６内の画像データによって示される地図Ｍ１に含まれる文字及び記号を認識し、この認識した文字からなる文字列を抽出すると共に、当該地図Ｍ１に含まれる記号を抽出する。
【００４０】
続いて、制御部３１は、それぞれの認識した文字列又は記号別に、当該認識した文字列又は記号に対応付けられているピクトグラムを記憶部２８内のピクトグラムデータＤから読み出し、地図Ｍ１におけるその認識した文字列又は記号の記載位置にその読み出したピクトグラムを例えば重ね合わせて配置して、図３（Ｂ）に例を示すような地図Ｍ２を作成する（Ｓ１０６）。この地図Ｍ２の作成は、画像メモリー２６に記憶された地図Ｍ１を示す画像データを処理することにより行われ、地図Ｍ２を示す画像データが画像メモリー２６内に作成される。なお、制御部３１は、画像形成装置１０の位置ＰＰ（地図Ｍ２の中心位置）を、現在位置として地図Ｍ２に配置してもよい。
【００４１】
この後、制御部３１は、緊急用の地図が準備されている旨を示すメッセージを表示部２１の画面に表示させ、制御部３１は、ユーザーによる操作部２２のスタートボタンの操作で画像形成指示が入力されるのを待機する（Ｓ１０７「Ｎｏ」）。このとき、ユーザーがそのメッセージを見てスタートボタンを操作することで画像形成指示が入力されると（Ｓ１０７「Ｙｅｓ」）、制御部３１は、地図Ｍ２を示す画像データを画像メモリー２６から読み出して画像形成部１２に入力させる。画像形成部１２は、その画像データによって示される地図Ｍ２を記録紙に記録して、この記録紙を出力する（Ｓ１０８）。
【００４２】
このように本実施形態の画像形成装置１０では、緊急情報のメッセージを受信すると、画像形成装置１０の周辺の地図を示す画像データを外部のサーバーから取得し、地図に記載されている文字列又は記号を認識して、当該認識した文字列又は記号に対応付けられているピクトグラムをピクトグラムデータＤから読み出し、地図におけるその認識した文字列又は記号の記載位置にその読み出したピクトグラムを配置した画像を生成し、この生成した画像（地図）を記録紙に形成する。このピクトグラムは、言語などにより表現されるものではなく、緊急時に必要な対象の利用目的を直感的に伝達する図形であるため、上記生成した画像を画像形成することにより、緊急時に、如何なる種類の言語を使っている人に対しても、有用な地図を提供できる。
【００４３】
また、画像形成装置１０では、緊急情報のメッセージを受信したときに、外部のサーバーから、定期的に更新されることで最新の情報を示す地図を取得しているので、この地図に記載されている文字列又は記号の信頼性が高く、地図上に記入されたピクトグラムの対象が過去のものであって存在しないなどという不具合を未然に防止することができる。
【００４４】
ところで、上記実施形態では、緊急情報のメッセージを受信したときに、画像形成装置１０の周辺の地図を外部のサーバーから取得しているが、予め設定されたスケジュールに従って、その地図を外部のサーバーから定期的に取得して更新してもよい。例えば、制御部３１は、ネットワーク通信部２４を介して、１日又は１週毎に、画像形成装置１０の周辺の地図を外部のサーバーから取得して記憶部２８に記憶し、当該地図を更新する。そして、緊急情報のメッセージを受信したときに、その地図を記憶部２８から読み出し、当該地図に記載されている文字列又は記号を認識して、当該地図におけるその認識した文字列又は記号の記載位置に当該認識した文字列又は記号に対応付けられているピクトグラムを配置した画像を生成し、この生成した画像（地図）を画像形成部１２により記録紙に形成させる。
【００４５】
あるいは、制御部３１は、ネットワーク通信部２４を介して、予め設定されたスケジュールに従って、画像形成装置１０の周辺の地図を外部のサーバーから取得したときに、その地図に記載されている文字列又は記号を認識して、ピクトグラムを配置した地図を作成し、このピクトグラムを配置した地図を予め記憶部２８に記憶させておき、緊急情報のメッセージを受信したときに、このピクトグラムを記入した地図を記憶部２８から読み出して、このピクトグラムを記入した地図を画像形成部１２により記録紙に形成させても構わない。
【００４６】
また、制御部３１は、ネットワーク通信部２４を介して、上記のようにスケジュールに従って、画像形成装置１０の周辺の地図を外部のサーバーから取得したときに、ピクトグラムを記入した地図を作成して記憶部２８に記憶させておく場合は、このピクトグラムを記入した地図を訂正することが可能である。例えば、図３（Ｂ）に示す地図Ｍ２において、「公園」の文字列Ｔ１の位置に水道を表すピクトグラムＰＴ１が記入されている。ユーザーは、事前の調査により、その公園に水道が設置されていないことが分かった場合に、操作部２２又はタッチパネル２３を操作して、地図Ｍ２の表示を指示する。制御部３１は、その指示に応じて、地図Ｍ２を記憶部２８から読み出して表示部２１に表示させる。そして、ユーザーは、操作部２２又はタッチパネル２３を操作して、その公園のピクトグラムＰＴ１を無効にする指示を入力する。制御部３１は、当該入力された指示に応じて、地図Ｍ２におけるピクトグラムＰＴ１を消去する。なお、このようにユーザーによる操作部２２又はタッチパネル２３の操作で、ピクトグラムＰＴ１を無効にする指示を入力することに代えて、又はこれと共に、制御部３１は、予め定められたサーバーから、ピクトグラムに対応付けられている文字列又は記号が示す施設（公園、駅、銀行、病院、学校、又は駐車場等）が本来の役目を果たさず機能していない、又は既に閉鎖している等の情報を、予め定められたスケジュールで定期的に受信するようにしてもよい。このとき、制御部３１は、当該受信した情報に従って、当該情報が示す施設に該当する文字列又は記号に対応付けられた、地図Ｍ２におけるピクトグラムを消去する。
【００４７】
上記の場合、制御部３１は、(1)ユーザーが地図Ｍ２において消去したピクトグラムＰＴ１及び当該ピクトグラムＰＴ１についての地図上の配置位置、又は(2) 上記サーバーから受信した上記の情報を記憶しておく。以降、制御部３１は、スケジュールに従って、画像形成装置１０の周辺の地図を外部のサーバーから再度取得し、この地図に記載されている文字列又は記号を認識し、ピクトグラムを配置した地図を作成して更新するとき、当該認識した文字列又は記号に対応付けられているピクトグラムが記憶部２８に記憶されている場合であっても、(a)先に記憶しておいたピクトグラムＰＴ１及び当該ピクトグラムＰＴ１の配置位置が示す位置にはピクトグラムを配置しないようにする、又は(b)サーバーから受信した上記の情報が示す施設に該当する文字列又は記号に対応付けられたピクトグラムは地図Ｍ２に配置しないようにする。これにより、ピクトグラムがより正確に記入された地図を提供することができる。
【００４８】
また、上記実施形態では、ユーザーによる操作部２２の操作で画像形成指示が入力された場合に、上記ピクトグラムが配置された地図を記録紙に形成しているが、画像形成指示が入力されなくても、緊急情報のメッセージを受信したことのみを条件として、当該地図を記録紙に形成するようにしてもよい。
【００４９】
また、制御部３１は、ネットワーク通信部２４を介して、上記緊急情報を、近距離通信により受信し、又は有線ＬＡＮやその他のケーブルを通じて受信するようにしてもよい。
【００５０】
尚、上記実施形態では、本発明に係る画像形成システムの一実施形態として画像形成装置（複合機）を用いて説明しているが、これは一例に過ぎず、コピー機、プリンター、ファクシミリ装置等の他の画像形成装置でもよい。
【００５１】
また、図１乃至図５を用いて説明した上記実施形態の構成及び処理は、本発明の一例に過ぎず、本発明を当該構成及び処理に限定する趣旨ではない。
【符号の説明】
【００５２】
１０    画像形成装置
１１    画像読取部
１２    画像形成部
２１    表示部
２２    操作部
２３    タッチパネル
２４    ネットワーク通信部
２６    画像メモリー
２８    記憶部
２９    制御ユニット
３１    制御部
【図１】
2020108128.tif 000003
【図２】
2020108128.tif 000004
【図３】
2020108128.tif 000005
【図４】
2020108128.tif 000006
【図５】
2020108128.tif 000007